(57)【要約】      （修正有）【課題】瓦等の屋根上葺材を未だ施工する前のステープル止めした屋根下葺材の上に強い雨や激しい雨があったとしても確実に漏水防止できる屋根の漏水防止構造を提供する。【解決手段】屋根下地板３の上面に、屋根下葺材４をステープル止めしてなる屋根の漏水防止構造において、前記ステープル止めをする屋根下地板３の上面にアスファルト系プライマー等からなる撥水性を付与したことから、ステープル５を通して侵入しようとした水分は屋根下地板３で吸収されず、撥水性付与部２によりはじき返され、漏水の問題が生じないように構成している。【選択図】図１
2005299340.tif 000002
【特許請求の範囲】
【請求項１】
屋根下地板の上面に、屋根下葺材をステープル止めしてなる屋根の漏水防止構造において、前記ステープル止めをする屋根下地板の上面に撥水性を付与したことを特徴とする屋根の漏水防止構造。
【請求項２】
前記屋根下地板が、アスファルト系プライマーを塗布した板材からなるものであることを特徴とする請求項１に記載の屋根の漏水防止構造。
【発明の詳細な説明】
【技術分野】
【０００１】
本発明は、屋根下葺材の施工後、瓦等の屋根上葺材を施工する前に降雨があった場合でも屋根下葺材をステープル止めした穴からの漏水を確実に防止できるようにした屋根の漏水防止構造に関するものである。
【背景技術】
【０００２】
屋根下葺材は屋根下地板（野地板）の上面に、通常はステープルを用いて敷設されるものである。この屋根下葺材を下地板に固定するために使用されるステープルの本数は、約５０坪の屋根面積の場合で、おおよそ３，０００本にも達する。このように下葺材にステープルを打ち込むことは、下葺材に多くの穴を開ける結果となり、防水という本来の目的を減殺することになる。しかし、瓦等の上葺材を施工した後の降雨の場合には、たとえ、下葺材上に雨水がまわり込んでも、水は「流れ（フロー）」の状態となるため、屋根下葺材に適用されているアスファルト自身の疎水性、粘弾性、表面張力との関係もあって少々の雨程度ではステープル穴からの漏水は実験的にも殆ど認められない。
【発明の開示】
【発明が解決しようとする課題】
【０００３】
しかしながら、瓦等の屋根上葺材を未だ施工する前に、強い雨（２０ｍｍ／Ｈ程度）や激しい雨（５０ｍｍ／Ｈ程度）があった場合には、屋根下葺材として用いられるアスファルト自身の疎水性と粘弾性、表面張力のみでは前記ステープル穴からの漏水を確実に防ぐことはできなかった。ここにおいて、本発明者らは種々の実験を重ねた結果、上記漏水現象の主たる原因は、屋根下葺材をステープル止めした屋根下地板の水分吸引性にあることを発見した。
【０００４】
本発明は、上記の発見に基づいて完成したものであり、その目的とするところは、瓦等の屋根上葺材を未だ施工する前の、ステープル止めした屋根下葺材の上に強い雨や激しい雨があったとしてもステープル穴からの漏水防止を確実にした屋根の漏水防止構造を提供するにある。
【課題を解決するための手段】
【０００５】
上記目的を達成するため、本発明は、屋根下地板の上面に、屋根下葺材をステープル止めしてなる屋根の漏水防止構造において、前記ステープル止めをする屋根下地板の上面に撥水性を付与するものである。また、請求項２に記載の発明は、前記屋根下地板が、アスファルト系プライマーを塗布した板材からなり本願防水構造を簡易に得ることができるようにするものである
【発明の効果】
【０００６】
本発明は、屋根下地板の上面に、屋根下葺材をステープル止めしてなる屋根の漏水防止構造において、前記ステープル止めをする屋根下地板の上面に撥水性を付与したことを特徴としているから、ステープル穴を通して侵入しようとした水分をはじき返し、下地板側に侵入させることを確実に防止できるという優れた効果を奏するものである。また、本願の防水構造は、アスファルト系プライマーを塗布した板材を用いて屋根下地板を形成するだけで、簡易に得ることができるという優れた効果を奏するものである。
【発明を実施するための最良の形態】
【０００７】
次に、本発明の実施の態様を添付図面に基づいて説明する。図１は本願構造を略示的に示す断面図、図２はステープルを通して侵入しようとした水分をはじき返している状態を略示的に示す拡大断面図である。
【０００８】
本願構造１は、図１の如く、撥水性付与部２を形成した屋根下地板３の上面に、屋根下葺材４をステープル５により止めてなる。前記撥水性付与部２は、予め、屋根下地板３の上面に形成されている。
【０００９】
前記撥水性付与部２を形成した屋根下地板３の上面に下葺材４をステープル５で止めたものは、図２の如く、ステープル５を打ち込むときに形成されたステープル穴６が出来、該ステープル穴６内に前記ステープル５を伝って水分（水滴）７が侵入したとしても、該水分（水滴）７は屋根下地板３の上面の撥水性付与部２の作用により下地板３内に吸収されることがない。しかも、ステープル穴６内の水分（水滴）７は表面張力の働きにより以後侵入しようとする水分（水滴）７を矢印の如く、はじき返してしまうこととなる。
【００１０】
前記屋根下地板３の上面への撥水性の付与は、撥水性を有する塗布材料を塗布することにより形成してもよい。この塗布材料として代表的には、アスファルト系、フッ素系、シリコン系などがあるが、アスファルト系プライマーを用いることがステープルを通して侵入しようとする水分をはじき返す機能が向上し好ましい。アスファルト系プライマーの中でも、ブロンアスファルト／ソルブントナフサ／ミネラルスピリットとの混合物がより好ましい。
【００１１】
前記下葺材４としては一般市販のもの、たとえば、紙にアスファルトを含浸させ、表層に砂及び又は塗料塗布層を設けてなるもの（アスファルトルーフィング９４０＜２２ｋｇルーフ＞）、または、紙を芯材とし、その上下に改質アスファルト層（ゴム化アスファルト層）を設け、表層に砂及び又は塗料塗布層を設けてなるもの（ゴムアスルーフィング）のいずれを用いても良い。もらろん、不織布（図示せず）で補強された下葺材４であってもよい。
【００１２】
次に、本願構造１を構成する手順について説明する。先ず、屋根下地板３の上面に撥水性を有する塗布材料を塗布して撥水性付与部２を形成する。もちろん、屋根下地板３を敷設形成する前の板材自体に予め撥水性を有する塗布材料を塗布しておいてもよい。
【００１３】
次いで、屋根下地板３の上面に、屋根下葺材４を軒先側から棟側に一定（ほぼ１０ｃｍ程度）の重ね部を取って貼って行き、その重ね部及び一重部（非重ね部）をハンマータッカなどの工具を使ってステープル５を打ち込んで下地板３に固定することにより本願構造１が完成することとなる。
【実施例１】
【００１４】
今、２ｍ2 大に形成した屋根下地板の上面全域に、予め、ブロンアスファルト・ソルブントナフサ・ミネラルスピリットとを混合してなるアスファルト系プライマーを塗布して撥水性付与部を形成し、この下地板の上面に市販のアスファルトルーフィング（アスファルトルーフィング９４０＜２２ｋｇルーフ＞）を２ｍ2 大に切断して貼り、５０本のステープルを打ち込んで下地板に止めた実施例品を用意する。一方、２ｍ2 大に形成した屋根下地板の上面（撥水性付与部は形成しない）に、上記同様の市販のアスファルトルーフィング（アスファルトルーフィング９４０＜２２ｋｇルーフ＞）を２ｍ2 大に切断して貼り、５０本のステープルを打ち込んで下地板に止めた比較例品を用意する。そして、それぞれを傾斜状に立てかけ（勾配４．５寸）、２４時間散水し、漏水試験を行い、漏水個所を調べたところ、表１の結果を得た。
【００１５】
表１
散水量      １〜２ｍｍ／Ｈ    ２０ｍｍ／Ｈ    ５０ｍｍ／Ｈ
（しとしと雨）    （強い雨）      （激しい雨）
実施例品      ０／５０        ０／５０         
０／５０
比較例品      ０／５０      １４／５０        ４３／５０
【００１６】
上表の結果、撥水性付与部を形成した屋根下地板の上面に、屋根下葺材をステープルにより止めてなる品では、ステープル穴からの漏水は全く生じなかったが、比較例品では強い雨では１４個所、激しい雨では４３個所に漏水が認められ、本願構造の漏水防止構造に高い評価が確認できた。
【産業上の利用可能性】
【００１７】
本願構造を一般家屋の勾配屋根に応用して充分に漏水防止効果が得られることが判るものである。
【図面の簡単な説明】
【００１８】
【図１】本願構造を略示的に示す断面図である。
【図２】ステープルを通して侵入しようとした水分をはじき返している状態を略示的に示す拡大断面図である。
【符号の説明】
【００１９】
１  本願構造
２  撥水性付与部
３  屋根下地板
４  屋根下葺材
５  ステープル
６  穴
７  水分（水滴）
【図１】
2005299340.tif 000003
【図２】
2005299340.tif 000004
【手続補正書】
【提出日】平成16年5月26日(2004.5.26)
【手続補正２】
【補正対象書類名】明細書
【補正対象項目名】００１５
【補正方法】変更
【補正の内容】
【００１５】
表１
散水量      １〜２ｍｍ／Ｈ    ２０ｍｍ／Ｈ    ５０ｍｍ／Ｈ
（しとしと雨）    （強い雨）      （激しい雨）
実施例品      ０／５０        ０／５０          ０／５０
比較例品      ０／５０      １４／５０        ４３／５０